(57)【要約】【課題】  本体にソケットが装着されていない水栓と、本体にソケットが装着された水栓との何れの水栓においても、本体に接続された取付軸を取り替えることなく、そのまま使用可能とする。【解決手段】  洗面台１又は流し台のカウンター２に穿設された取付孔６の上部に配置される台座４１と、該台座４１の上部に装着される水栓本体１１と、該水栓本体１１に接続され前記取付孔６に挿通される取付軸１６と、前記取付孔６周縁に下方から着座し且つ前記取付軸１６が挿通される座金５１と、該座金５１の下方から前記取付軸１６に螺合される固定具６１とを備え、台座４１と座金５１とによりカウンター２を挟着して固定される水栓１０において、前記水栓本体１１と台座４１との間には高さ調節用のソケット３１を装着自在とすると共に、取付軸１６と固定具５１との間には延長軸２１を装着自在とした。【選択図】  図３
2006028861.tif 000002
【特許請求の範囲】
【請求項１】
洗面台又は流し台のカウンターに穿設された取付孔の上部に配置される台座と、該台座の上部に装着される水栓本体と、該水栓本体に接続され前記取付孔に挿通される取付軸と、前記取付孔周縁に下方から着座し且つ前記取付軸が挿通される座金と、該座金の下方から前記取付軸に螺合される固定具とを備え、台座と座金とによりカウンターを挟着して固定される水栓において、前記水栓本体と台座との間には高さ調節用のソケットを装着自在とすると共に、取付軸と固定具との間には延長軸を装着自在としたことを特徴とする水栓。
【発明の詳細な説明】
【技術分野】
【０００１】
この発明は、洗面台又は流し台等に取り付けられる水栓に関するものである。
【背景技術】
【０００２】
例えば、洗面台や流し台等のカウンター上に湯水を供給するための水栓を配設する場合に、水栓をカウンターに固定するには、特許文献１においては、カウンターに穿設された取付孔に対し、水栓の本体下部に接続された給湯管，給水管及び水栓固定用の取付軸を挿通させ、本体の下端をカウンターに着座させた後、取付軸に対し固定座金及びスペーサ管を下方からそれぞれ外挿し、固定座金が取付軸，給湯管及び給水管を抱き込むように配置させる。そして、取付軸に形成された雄ねじ部にカウンターの下部からナットを螺合して締め上げることにより、固定座金はスペーサ管を介してナットによる拘束力を受け、その上面がカウンターの下面に突き当てられることにより、本体と固定座金とがカウンターの上下両面を挟圧し、これによって水栓がカウンターに固定される。
【０００３】
【特許文献１】特開平８−２２６１４８号公報
【０００４】
特許文献１の場合、洗面ボウルはカウンターの内部に収容されているが、洗面ボウルがカウンターの上面に設置されるタイプの洗面台があり、特許文献１の水栓をこのような洗面台のカウンターに固定しようとすると、水栓の全長が短いため湯水の吐水位置が低くなってしまい、本体に対して円筒形状のソケットを装着して、水栓の全長を長くしなければならない。しかも、この水栓をカウンターに固定するには、水栓の全長を長くしたことに対応して取付軸を長くする必要があり、そのためには本体から取付軸を取り外し、全長の長い取付軸に取り替えなければならず、その作業は面倒なものであった。
【０００５】
また、洗面ボウルがカウンター内部に収容されている洗面台と、洗面ボウルがカウンターの上面に設置されるタイプの洗面台とに合わせ、本体にソケットが装着されていない水栓と、本体にソケットが装着された水栓とで、取付軸の長さが異なる水栓を製造する方法があるが、これは水栓を複数種類用意する必要があるため生産性が悪く、またその管理は大変なものであった。
【発明の開示】
【発明が解決しようとする課題】
【０００６】
この発明は、このような従来の技術に存在する問題点に着目してなされたものであり、その目的は、本体にソケットが装着されていない水栓と、本体にソケットが装着された水栓との何れの水栓においても、本体に接続された取付軸を取り替えることなく、そのまま使用可能とするものである。
【課題を解決するための手段】
【０００７】
上記目的を達成するため本発明は、洗面台又は流し台のカウンターに穿設された取付孔の上部に配置される台座と、該台座の上部に装着される水栓本体と、該水栓本体に接続され前記取付孔に挿通される取付軸と、前記取付孔周縁に下方から着座し且つ前記取付軸が挿通される座金と、該座金の下方から前記取付軸に螺合される固定具とを備え、台座と座金とによりカウンターを挟着して固定される水栓において、前記水栓本体と台座との間には高さ調節用のソケットを装着自在とすると共に、取付軸と固定具との間には延長軸を装着自在としたものである。
【発明の効果】
【０００８】
本発明の水栓では、本体にソケットを装着していない場合と、本体にソケットを装着した場合との何れの状態においても、本体に接続された取付軸を取り外すことなくそのまま使用可能としたので、施工性を大幅に向上させることができる。また、従来のように水栓を複数種類用意しなくてよいので生産性が向上する。
【発明を実施するための最良の形態】
【０００９】
以下、本発明の実施例を図に基づいて詳細に説明する。
【実施例１】
【００１０】
図１及び図２に示すように洗面台１はカウンター２の上面に、陶磁器や金属から形成された洗面ボウル３が設置され、洗面ボウル３近傍にはカウンター２に対し水栓１０が固定されている。この洗面ボウル３は半球状で、底部中心位置に排水口４が設けられており、水栓１０から吐水された湯水は排水口４より流出し、この排水口４の下部に接続された排水管５を介して外部に排出される。
【００１１】
前記水栓１０は２ハンドル式であり、水栓１０固定用の取付軸１６及び延長軸２１が接続された水栓本体１１と、該水栓本体１１の左右に設けられ給湯管Ｈ，給水管Ｃから供給された湯，水の流量及び温度を調節するための操作部としてのハンドル１４，１４と、該ハンドル１４，１４の操作により調節された湯水が吐水される吐水管１５とを有するものである。また水栓１０は、カウンター２に穿設された取付孔６の上部に配置された状態で、取付孔６に挿通された延長軸２１に対し、カウンター２の下部から座金５１を挿通し、固定具６１を延長軸２１に螺着し、水栓本体１１と座金５１とによりカウンター２を挟着することにより、カウンター２に固定されている。
【００１２】
前記水栓本体１１は円筒形状を組み合わせて略Ｗ字形に形成され、内部には円柱形状の収容室１２が形成されている。この収容室１２には給湯管Ｈ，給水管Ｃが左右に並んで収容され、その給湯管Ｈ，給水管Ｃの先端は水栓本体１１の下部に接続されている。この給湯管Ｈと給水管Ｃとの間には、先端に雄ねじ部１７が形成された水栓１０固定用の取付軸１６が収容されており、その取付軸１６の先端は水栓本体１１の下部に接続され、取付軸１６の先端には後述する延長軸２１が接続されている。また、水栓本体１１の底面には環状の凹部１３が形成されており、この凹部１３にはソケット３１が嵌合されている。
【００１３】
前記延長軸２１は水栓本体１１にソケット３１を装着した場合にのみ用いられるもので、取付軸１６の雄ねじ部１７と螺合する雌ねじ部２３を備えた円柱形状の大径部２２と、取付軸１６の雄ねじ部１７と同一形状の雄ねじ部２５を備えた小径部２４とから形成されており、その全長はソケット３１の全長より長く形成されている。また、小径部２４の先端には六角柱形状の工具係止部２６が突出して形成されている。
【００１４】
前記ソケット３１は水栓本体１１に装着されることで水栓１０の全長を調節するものであり、その形状は水栓本体１１の外径と同径の円筒形で、中央やや上方には仕切板３２が内周に突出して形成され、図４に示すように、この仕切板３２には、前記給湯管Ｈ，給水管Ｃ，取付軸１６を挿通自在に保持する挿通孔３３，３３ａ，３３ｂがそれぞれ形成されている。そして、ソケット３１の上面には環状の凸部３４が上方に突出して形成されており、この凸部３４は前記水栓本体１１の凹部１３に嵌合するものである。また、ソケット３１の下面には凹溝３５が環状に形成されており、この凹溝３５には台座４１が嵌合されている。
【００１５】
前記台座４１は、ソケット３１の外径より大径の薄板形状で、その中央には開口４２が上下に貫通して形成され、この開口４２周縁には位置決め片４３が下方に突出して形成されている。この位置決め片４３は環状で、その外径はカウンター２に穿設された取付孔６と略同径である。また、台座４１の上面には前記ソケット３１の凹溝３５に嵌合する凸部４４が上方に突出して形成されている。なお、この凸部４４とソケット３１の凸部３４とは同一形状であり、水栓本体１１にソケット３１を装着しない場合には、台座４１の凸部４４を水栓本体１１の凹部１３に嵌合させて、全長の短い水栓として使用することも可能である。
【００１６】
前記座金５１は、カウンター２の取付孔６の外周縁を覆うことができる略半円状の薄板形状で、カウンター２の下部で給湯管Ｈ，給水管Ｃと取付軸１６又は延長軸２１を抱き込むように配置されるものである。
【００１７】
前記固定具６１は略円柱形状で、一端の内周面には取付軸１６の雄ねじ部１７又は延長軸２１の雄ねじ部２５に螺着される雌ねじ部６２が形成され、他端の外周面には六角形状の工具係止部６３が形成されている。
【００１８】
以上の構成において、水栓のカウンターへの取付構造について説明する。
図５及び図６に示すように、洗面ボウル３ａがカウンター２ａ内部に収容されている洗面台１ａでは、洗面ボウル３ａと水栓１０の吐水管１５との間に十分な空間があり水栓１０はその全長を長くする必要がなく、水栓本体１１にソケット３１を装着しない状態、即ち、水栓１０は通常の形態として使用される。この場合、水栓１０をカウンター２ａに取り付けるには、まず、給湯管Ｈ，給水管Ｃ，取付軸１６が接続された水栓本体１１に、台座４１の凸部４４と水栓本体１１の凹部１３とを嵌合させて台座４１を水栓本体１１の下部に取り付ける。
【００１９】
次に、台座４１の位置決め片４３をカウンター２ａに穿設された取付孔６ａに挿入し、給湯管Ｈ，給水管Ｃ，取付軸１６を取付孔６ａの下方に挿通させる。そして、取付軸１６に対しカウンター６ａの下部から座金５１を挿通し、固定具６１をモンキー等の工具を用いて取付軸１６に螺合し、水栓本体１１と座金５１とによりカウンター６ａを挟着することにより、水栓１０はカウンター２ａに固定される。
【００２０】
しかし、図１及び図３に示すように、洗面ボウル３がカウンター２の上面に設置されている洗面台１では、水栓１０は通常の形態ではその全長が短く、洗面ボウル３ａと水栓１０の吐水管１５との間に十分な空間が無く水栓としての機能を十分に果たすことができないため、水栓本体１１にソケット３１を装着してその全長を長くして使用される。
【００２１】
この場合、水栓１０をカウンター２に取り付けるには、まず、給湯管Ｈ，給水管Ｃ，取付軸１６が接続された水栓本体１１に対して、給湯管Ｈ，給水管Ｃ，取付軸１６をソケット３１の仕切板３２の各挿通孔３３，３３ａ，３３ｂに挿通するとともに、ソケット３１の凸部３４と水栓本体１１の凹部１３とを嵌合させてソケット３１を装着する。そして、延長軸２１をレンチ等の工具を用いて取付軸１６に螺着させる。
【００２２】
次に、台座４１の凸部４４とソケット３１の凹溝３５とを嵌合させて、台座４１をソケット３１の下部に取り付ける。そして、台座４１の位置決め片４３をカウンター２に穿設された取付孔６に挿入し、給湯管Ｈ，給水管Ｃ，延長軸１６を取付孔６の下方に挿通させる。そして、延長軸１６に対しカウンター２の下部から座金５１を挿通し、モンキー等の工具を用いて取付軸１６に螺合し、水栓本体１１と座金５１とによりカウンター２を挟着することにより、水栓１０をカウンター２に取り付ける。
【００２３】
以上のように本実施例によれば、次のような効果を得ることができる。
本発明の水栓では、水栓本体１１にソケット３１を装着していない場合と、水栓本体１１にソケット３１を装着した場合との何れの状態においても、水栓本体１１に接続された取付軸１６を取り外すことなくそのまま使用可能としたので、施工性を大幅に向上させることができる。また、従来のように水栓１０を複数種類用意しなくてよいので生産性が向上する。
【００２４】
なお本実施例では、水栓は２ハンドル式として説明したが、これに限定されることはなく、例えばシングルレバー式水栓，単水栓，サーモスタット式水栓などでも良いことは言うまでもない。
【図面の簡単な説明】
【００２５】
【図１】本発明の取付構造によって、本体にソケットが装着された水栓がカウンターに固定された状態の側面図である。
【図２】図１の正面図である。
【図３】図１の要部拡大断面図である。
【図４】図３におけるＡ−Ａ線断面図である。
【図５】本体にソケットが装着されていない水栓がカウンターに固定された状態の側面図である。
【図６】図５の要部拡大断面図である。
【符号の説明】
【００２６】
２    ：カウンター
６    ：取付孔
１０  ：水栓
１１  ：水栓本体
１６  ：取付軸
２１  ：延長軸
３１  ：ソケット
４１  ：台座
５１  ：座金
６１  ：固定具
【図１】
2006028861.tif 000003
【図２】
2006028861.tif 000004
【図３】
2006028861.tif 000005
【図４】
2006028861.tif 000006
【図５】
2006028861.tif 000007
【図６】
2006028861.tif 000008